(57)【要約】      （修正有）【課題】床と家具など狭い上下の隙間を掃除できる吸込口体を提供する。【解決手段】本吸込口体１は、吸込口本体２と、この吸込口本体２の上側が開放されこの吸込口本体２の下部をなす下ケース４と、この下ケース４の上部の後側を覆い、下ケース４との間で接続管３を回転自在に挟持する上ケース５とを備え、回転ブラシの上方で吸込室の天井部をなす上ケース５の一部には、回転ブラシの長手方向に沿って通気開口１０が設けられ、この通気開口１０を適宜閉塞する移動部としての回動部材１１が設けられ、回動部材１１の下方への移動により、通気開口１０が開放され、この通気開口１０を介して、隙間上部の家具などの底板に付着した塵埃を吸引する。【選択図】図２
2010172563.tif 000002
【特許請求の範囲】
【請求項１】
吸込口本体と、
この吸込口本体に設けられ、天井部の一部が下方に動く移動部を備えた吸込室と、
この吸込室に収容され、天井部が下方に位置する回転清掃体と、
前記吸込室に連通する接続管とを備えることを特徴とする吸込口体。
【請求項２】
前記移動部が下方に動いたとき、前記天井部に通気開口が形成されることを特徴とする請求項１に記載の吸込口体。
【請求項３】
前記移動部の表面に前記通気開口に向かって延びる複数の長い溝が設けられることを特徴とする請求項２に記載の吸込口体。
【請求項４】
前記移動部は軟質部材からなることを特徴とする請求項１ないし３のいずれか１項に記載の吸込口体。
【請求項５】
前記移動部は、板体からなり、この板体はその前側側部で前記通気開口に回動可能に支持されかつ、弾性体で上方に付勢されることを特徴とする請求項１ないし４のいずれか１項に記載の吸込口体。
【請求項６】
電動送風機を収容した掃除機本体と、
この掃除機本体に対して前記電動送風機の吸込側に連通接続される請求項１ないし５のいずれか１項に記載の吸込口体とを具備することを特徴とする電気掃除機。
【発明の詳細な説明】
【技術分野】
【０００１】
本発明は吸込口体およびこれを用いた電気掃除機に係り、特に、吸込口体本体の吸込室の天井部の一部が下方に動く移動部を備えた吸込口体およびこれを用いた電気掃除機に関する。
【背景技術】
【０００２】
従来、この種の電気掃除機は、電動送風機を収容した掃除機本体を備え、この掃除機本体には、電動送風機の吸込側に連通する集塵部が設けられ、この集塵部は、掃除機本体に形成された本体吸込口と連通し、さらに、この本体吸込口には、ホース体、延長管および吸込口体としての床ブラシが順次連通接続される。
【０００３】
従来の床ブラシは、吸込口本体内に回転ブラシを設け、さらに、この回転ブラシに面する吸込口本体の下面に吸込口を設けているが、吸込口本体の丈を低く（薄く）することができないため、床と家具などとの上下の隙間が狭い場合、吸込口体（床ブラシ）の丈が高いため、隙間の掃除を行うことができないという問題があった。
【０００４】
なお、吸込口本体の前方端部から上面に亘り吸込口本体に重ねて設けた補強部材を設けることで、前面からの衝撃に対して吸込口本体と補強部材にて外郭を保持することができ、回転ブラシの周囲空間を一定に保持し、かつ回転ブラシの回転軸中心のずれを無くし吸引・集塵性能を安定させる吸込口体が提案されている（例えば、特許文献１参照）。
【０００５】
しかしながら、この特許文献１に記載の吸込口体は、その丈を低くすることができないため、狭い上下の隙間の掃除を行うことができない。また、吸込口本体の前部に軸回りに回動可能なカバーを設け、このカバーが後退した際に清掃部材がカバーに接触し、壁際などにある塵埃を掻き上げることのできる吸込口体が提案されている（例えば、特許文献２参照）。
【０００６】
しかしながら、この特許文献２に記載の吸込口体は、壁際などにある塵埃を掻き上げることができるが、その丈を低くすることができないため、狭い上下の隙間の掃除を行うことができない。
【先行技術文献】
【特許文献】
【０００７】
【特許文献１】特開２００２−２７２６５２号公報
【特許文献２】特開２００６−１８７６４０号公報
【発明の概要】
【発明が解決しようとする課題】
【０００８】
本発明は上述した事情を考慮してなされたもので、床と家具など狭い上下の隙間を掃除できる吸込口体およびこれを用いた電気掃除機を提供することを目的とする。
【課題を解決するための手段】
【０００９】
上述した目的を達成するため、本発明に係る吸込口体は、吸込口本体と、この吸込口本体に設けられ、天井部の一部が下方に動く移動部を備えた吸込室と、この吸込室に収容され、天井部の下方に位置する回転清掃体と、前記吸込室に連通する接続管とを備えることを特徴とする。
【００１０】
また、本発明に係る電気掃除機は、電動送風機を収容した掃除機本体と、この掃除機本体に対して前記電動送風機の吸込側に連通接続される前記吸込口体とを具備することを特徴とする。
【発明の効果】
【００１１】
本発明に係る吸込口体によれば、床と家具など狭い上下の隙間を掃除できる吸込口体を提供することができる。
【００１２】
また、本発明に係る電気掃除機によれば、床と家具など狭い上下の隙間を掃除できる吸込口体を用いた電気掃除機を提供することができる。
【図面の簡単な説明】
【００１３】
【図１】本発明の第１実施形態の電気掃除機の概念図。
【図２】本発明の第１実施形態の吸込口体の斜視図。
【図３】本発明の第１実施形態の吸込口体の縦断面図。
【図４】本発明の第１実施形態の吸込口体の吸込室近傍を拡大して示す開口閉塞状態の縦断面図。
【図５】本発明の第１実施形態の吸込口体の吸込室近傍を拡大して示す開口開放状態の縦断面図。
【図６】本発明の第２実施形態の吸込口体の縦断面図。
【図７】本発明の第２実施形態の吸込口体の使用状態を示す縦断面図。
【発明を実施するための形態】
【００１４】
本発明の第１実施形態に係る吸込口体およびこれを用いた電気掃除機について図面を参照して説明する。
【００１５】
図１に示すように、本実施形態の電気掃除機５１は、掃除機本体５２を備え、この掃除機本体５２は、内部に収容された電動送風機５３の駆動にて生じる吸気風とともに吸い込んだ塵埃を、集塵部（図示省略）に捕集する。
【００１６】
また、掃除機本体５２には、電動送風機５３の動作を制御する制御手段としての図示しない制御回路が収容されているとともに、外部から空気を吸引する本体吸込口５４が前部に開口される。この本体吸込口５４には、可撓性を有し湾曲可能な細長略円筒状のホース体５５が連通接続される。
【００１７】
このホース体５５の先端には、電動送風機５３の動作モードなどが選択可能な手元操作部５６が設けられる。この手元操作部５６には、掃除する際に作業者が把持する把持部５７が基端側に向けて突設され、この把持部５７には、制御回路に所定の信号を送信して掃除機本体５２内の電動送風機５３などを複数の動作モードに設定する複数の設定ボタン５８が設けられている。
【００１８】
さらに、手元操作部５６の先端には、伸縮自在な細長略円筒状の延長管５９が着脱自在に連通接続される。すなわち、延長管５９は、ホース体５５を介して電動送風機５３の吸込側に連通接続される。また、この延長管５９の先端には、例えば室内の被掃除面としての床面の絨毯などの上に載置させて、この絨毯上の塵埃を吸い込む本発明の吸込口体としての吸込口体（床ブラシ）１が着脱自在に連通接続されている。
【００１９】
従って、吸込口体１は、延長管５９、ホース体５５および本体吸込口５４を介して、電動送風機５３の吸込側に連通接続される。
【００２０】
図２に示すように、吸込口体１は、横長の吸込口本体２と、この吸込口本体２の後部に回動自在に設けられる接続管３とを備える。
【００２１】
吸込口本体２は、上側が開放されこの吸込口本体２の下部をなす下ケース４と、この下ケース４の上部の後側を覆い、下ケース４との間で接続管３を回転自在に挟持する上ケース５とを備える。
【００２２】
図３および図４に示すように、下ケース４には、前端部に、回転清掃体である回転ブラシ６を収容する横長四角形状の吸込室７が幅方向に延びて切り欠き形成され、さらに、吸込室７に連通して下吸込口８Ａが形成され、下ケース４の前面には前吸込口８Ｂが設けられる。
【００２３】
吸込室７は連通路Ｒによって、接続管３に連通される。
【００２４】
回転ブラシ６は吸込室７の両側を画定する軸受部（図示省略）に軸支される。
【００２５】
回転ブラシ６は、いずれも図示省略のモータあるいは負圧によって回転され、取付部材としての略円柱状の回転ブラシ組立６ａの周囲に、複数の清掃部材６ｂが取り付けられる。回転ブラシ組立６ａは合成樹脂などにより形成され、この回転ブラシ組立６ａの外周面には、各清掃部材６ｂの基端側を保持する溝部６ｃが、周方向に略均等に螺旋状に形成されている。清掃部材６ｂは、拭取部材であるブレード、ブラシ毛、あるいはこれらの組み合わせなどであり、基端側が回転ブラシ組立６ａの溝部６ｃにそれぞれ保持されることにより、回転ブラシ組立６ａの外周面に対して、この回転ブラシ組立６ａの軸方向に沿う螺旋壁状で、かつ回転ブラシ組立６ａの径方向に先端側が突出している。
【００２６】
図４および図５に示すように、一方、回転ブラシ６の上方で吸込室７の天井部をなす上ケース５の一部には、回転ブラシ６の長手方向に沿って通気開口１０が設けられる。
【００２７】
さらに、通気開口１０には、この通気開口１０を適宜閉塞する移動部としての回動部材１１が設けられる。この回動部材１１は板状で側面視弧状をなし、表面に整流及び流通用の複数の長い溝１１ａが通気開口１０に向かって延びて設けられ、前側側部で軸１２により回動自在に支持され、弾性体としてのスプリング１３により、上方に付勢されて通気開口１０の閉塞状態を保ち、回動部材１１が上方からスプリング１３に抗して押圧されることで、下方に回動し、吸込口体１の丈が低くなるとともに、通気開口１０は開放される。
【００２８】
スプリング１３は吸込室７の負圧によって、回動部材１１が下方に移動し、通気開口１０が開放されない程度の弾性強度を有する。
【００２９】
回動部材１１を軸支し、スプリング１３により、上方に付勢するので、簡単な構造で通気開口１０を開閉できる。
【００３０】
回動部材１１は軟質部材で形成するのが好ましい。
【００３１】
再び図２および図３に示すように、下ケース４の外周には、下ケース４に比べて柔らかい材質からなるバンパー部材１４ａ、１４ｂ（図２）が設けられ、また、下ケース４には補助車輪１５が設けられる。
【００３２】
さらに、下ケース４の前吸込口８Ｂの両側には、突出部１６が設けられ、この突出部１６の下端面には起毛布１７が取付けられ、吸込口体１の両側の塵埃を掻き取る。
【００３３】
次に本発明に係る電気掃除機を用いた掃除について、図４および図５を参照して説明する。
【００３４】
掃除の際には、まず、作業者は、掃除機本体５２の本体吸込口５４に、ホース体５５、延長管５９および吸込口体１を順次連通接続する。
【００３５】
さらに、作業者が、掃除機本体５２から電源コードを引き出して図示しないコンセントに接続した後、把持部５７を把持して所定の設定ボタン５８を操作すると、この設定ボタン５８により設定された動作モードに応じて電動送風機５３が駆動される。
【００３６】
通常の使用状態では、スプリング１３の作用により、回動部材１１は閉塞した状態が保たれる。
【００３７】
そして、作業者は、把持部５７を把持して床面上で吸込口体１を前後に走行させる。
【００３８】
吸込口体１の走行により、下吸込口８Ａおよび前吸込口８Ｂから含塵空気を吸い込む。
【００３９】
下吸込口８Ａおよび前吸込口８Ｂから吸い込まれた含塵空気は、吸込室７、延長管５９、ホース体５５および本体吸込口５４を介して、電動送風機５３に吸込まれ、集塵部で除塵される。
【００４０】
一方、床と家具などとの上下の狭い隙間を掃除する場合、吸込口体１を隙間に挿し入れるが、図５に点線図示するように、隙間上部の家具などの底板Ｐなどに当接する回動部材１１は、上方から押圧され、スプリング１３に抗して、下方に移動（回動）される。
【００４１】
このとき、回動部材１１は軟質部材で形成されているので、家具などの底板Ｐを傷付けることがない。
【００４２】
回動部材１１の下方への移動により、吸込口体１の丈が低くなり、吸込口体１を隙間のより奥まで挿し入れることができる。これにより、隙間をより奥まで掃除をすることができる。
【００４３】
また、回動部材１１の下方への移動により、通気開口１０が開放され、この通気開口１０を介して隙間上部の家具などの底板Ｐに付着した塵埃を吸引する。
【００４４】
このとき、回動部材１１の表面に複数の長い溝１１ａが設けられているので、家具などの底板と回動部材１１の表面間で流通が妨げられることなく、含塵空気は効率よく通気開口１０に吸い込まれる。
【００４５】
さらに、吸込口体の丈全体を低くすることで、吸込効率が低下し、騒音を発する吸込口体とは異なり、本吸込口体１は、隙間を掃除するときのみ吸込口体１の丈を低くする構造であるので、より多く使用される通常の使用状態では、通気路が狭められることがなく、吸込効率が低下したり、騒音を発することがない。
【００４６】
なお、本第１実施形態では、回動部材を上方からの押圧力で下方に回動するようにしたが、外部から作動制御されるソレノイドあるいはモータを用いて回動するようにしてもよい。
【００４７】
本第１実施形態の吸込口体によれば、床と家具など狭い上下の隙間を掃除できる吸込口体が実現する。
【００４８】
次に、本発明の第２実施形態に係る吸込口体について説明する。
【００４９】
本第２実施形態は、第１実施形態が天井部の一部が下方に動く移動部を回動部材で形成するのに対して、移動部を弾性部材で形成する。
【００５０】
図６および図７に示すように、回転ブラシ６の上方で吸込室７の天井部には、移動部として、変形部１１Ａが形成される。この変形部１１Ａは、例えば、弾性軟質合成樹脂からなり、上ケース５とともに一体に成形されるか、変形部１１Ａのみが弾性軟質合成樹脂で形成され、上ケース５に一体的に取り付けられる。なお、変形部の変形、復帰を確実にするために、常時上方に付勢する板バネを変形部の裏面に取り付けてもよい。
【００５１】
掃除時、通常の使用状態では、図６に示すように、変形部１１Ａは通常の位置にあり、より多く使用される通常の使用状態では、通気路が狭められることがなく、吸込効率が低下したり、騒音を発することがない。
【００５２】
また、床と家具などとの上下の狭い隙間を掃除する場合、吸込口体１を隙間に挿し入れるが、図７に点線図示するように、隙間上部の家具などの底板Ｐなどに当接する変形部１１Ａは、上方から押圧され、弾性を有する変形部１１Ａは、下方に移動（変形）される。
【００５３】
このとき、変形部１１Ａが弾性軟質部材で形成されているので、家具などの底板を傷付けることがない。
【００５４】
変形部１１Ａの下方への移動により、吸込口体１の丈が低くなり、吸込口体１を隙間のより奥まで挿し入れることができる。これにより、隙間をより奥まで掃除をすることができる。
【００５５】
なお、他の構成は図４に示す吸込口体と異ならないので、同一符号を付して説明は省略する。
【００５６】
本第２実施形態の吸込口体によれば、床と家具など狭い上下の隙間を掃除できる吸込口体が実現する。
【００５７】
また、本発明の電気掃除機によれば、電動送風機を収容した掃除機本体と、この掃除機本体に対して電動送風機の吸込側に連通接続される第１実施形態および第２実施形態の狭い上下の隙間を掃除できる吸込口体とを具備した電気掃除機が実現する。
【符号の説明】
【００５８】
１  吸込口体
２  吸込口本体
３  接続管
４  下ケース
５  上ケース
６  回転ブラシ
７  吸込室
８Ａ  下吸込口
８Ｂ  前吸込口
９  軸受部
１０  通気開口
１１  回動部材
１１ａ  溝
１２  軸
１３  スプリング
１４ａ、１４ｂ  バンパー部材
１５  補助車輪
１６  突出部
１７  起毛布
５１  電気掃除機
５２  掃除機本体
５３  電動送風機
５４  本体吸込口
５５  ホース体５
５６  手元操作部
５７  把持部
５８  設定ボタン
５９  延長管
Ｒ  連通路
【図１】
2010172563.tif 000003
【図２】
2010172563.tif 000004
【図３】
2010172563.tif 000005
【図４】
2010172563.tif 000006
【図５】
2010172563.tif 000007
【図６】
2010172563.tif 000008
【図７】
2010172563.tif 000009